(57)【要約】【課題】負荷の高電力化に伴う大型化に対して放電灯からの熱の影響及び引掛刃の視認性の改善を行うことができるとともに高背化に伴うランプイメージの悪化を減少させることができる放電灯点灯装置及び照明器具を提供する。【解決手段】放電灯点灯装置１０及び照明器具１００は、天井面に取り付けられることにより商用電源を受けて高周波電力に変換して、環状の放電灯１０２を点灯制御する。内部に放電灯点灯回路部を搭載したプリント基板が、その短辺を天井面に接する方向で垂直になるように環状の放電灯１０２の中心に配置されており、天井面に対向する床面側に傾斜面２１を設けた。【選択図】図１
2010027571.tif 000002
【特許請求の範囲】
【請求項１】
天井面に取り付けられることにより商用電源を受けて高周波電力に変換して、環状の放電灯を点灯制御する放電灯点灯装置であって、
内部に放電灯点灯回路部を搭載したプリント基板が、その短辺を前記天井面に接する方向で垂直になるように前記環状の放電灯の中心に配置されており、前記天井面に対向する床面側に傾斜面を設けていることを特徴とする放電灯点灯装置。
【請求項２】
前記床面側の下面が前記環状の放電灯の上端よりも下側に位置していることを特徴とする請求項１記載の放電灯点灯装置。
【請求項３】
外郭が白色であることを特徴とする請求項１または２記載の放電灯点灯装置。
【請求項４】
前記環状の放電灯の照射方向に指向性を付与するための構造物を設けていることを特徴とする請求項１〜３のいずれか１項記載の放電灯点灯装置。
【請求項５】
前記構造物の底部は、前記環状の放電灯の上端よりも上側に位置することを特徴とする請求項１〜４のいずれか１項記載の放電灯点灯装置。
【請求項６】
前記放電灯点灯回路部がケースに収容されており、前記ケースの外郭には、前記天井面に配置された配線設備に受電接続されることにより前記商用電源を受けるための一対の引掛刃を有することを特徴とする請求項１〜５のいずれか１項記載の放電灯点灯装置。
【請求項７】
受光素子を搭載した受光回路基板を内蔵していることを特徴とする請求項１〜６のいずれか１項記載の放電灯点灯装置。
【請求項８】
請求項１〜７記載の放電灯点灯装置を具備することを特徴とする照明器具。
【発明の詳細な説明】
【技術分野】
【０００１】
本発明は、環状の放電灯を制御する放電灯点灯装置及び照明器具に関する。
【背景技術】
【０００２】
従来の放電灯点灯装置及び照明器具の一例として、上ケースの一部に設けられた一対の引掛刃によって天井面の給電アダプタと電気接続され、上ケースと、この上ケースと結合される下ケースとによって挟まれた内部空間に収納される点灯回路基板が、天井面に対して並列となる位置関係に配置されている放電灯点灯装置及び照明器具が知られている（例えば、特許文献１参照）。
【０００３】
従来の放電灯点灯装置及び照明器具の他の一例として、ブリッジ部品の上部に突出して設けられた一対の引掛刃から、導電板を介して天井面と並列に配置された点灯回路基板に給電接続され、回路基板から複数のリード線を介して接続される側面コネクタを有する構造全体が、外装ケースに収められた放電灯点灯装置及び照明器具が知られている（例えば、特許文献２参照）。
【特許文献１】特開２００５−２０９４７７号公報（図２、段落番号０００７）
【特許文献２】特開２００６−１７２７８６号公報（図１、段落番号０００７，０００８）
【発明の開示】
【発明が解決しようとする課題】
【０００４】
しかし、上記特許文献１及び特許文献２に開示された放電灯点灯装置及び照明器具において、高電力化を行おうとすると、電子部品及び基板が大型化するため、これらを内蔵している放電灯点灯装置は天井面と並列方向に大型化し、水平面の面積が大きくなる。そのため、天井面側中心に設置されている引掛刃の視認性が低下し、取り付けにくくなる。
また、点灯回路基板に搭載されている電子部品は環状の放電灯と相対的に距離が近付くため、放射熱による影響が大きくなる。
これらを解決するために、放電灯点灯装置を照明器具の中心に配置し、放電灯点灯装置に内蔵されている点灯回路基板を天井面と垂直となる位置関係に配置し、高電力化に伴って放電灯点灯装置が天井面と垂直方向に大型化（高背化）する変更を行った場合、高電力化を行っても引掛刃の視認性は損なわれず、取り付けの容易性は保たれる。また、放電灯点灯装置と環状の放電灯の距離は変化しないため、放電灯からの熱影響が大きくなることはない。
しかしながら、点灯回路基板を垂直に配置すると、高電力化に伴う放電灯点灯装置の高背化によるランプイメージの悪化（陰影の映り込み）という新たな課題を生じる。
【０００５】
本発明は、前述した要望を満たすためになされたもので、その目的は、負荷の高電力化に伴う大型化に対して放電灯からの熱の影響及び引掛刃の視認性の改善を行うことができるとともに高背化に伴うランプイメージの悪化を減少させることができる放電灯点灯装置及び照明器具を提供することにある。
【課題を解決するための手段】
【０００６】
本発明の放電灯点灯装置は、天井面に取り付けられることにより商用電源を受けて高周波電力に変換して、環状の放電灯を点灯制御する放電灯点灯装置であって、内部に放電灯点灯回路部を搭載したプリント基板が、その短辺を前記天井面に接する方向で垂直になるように前記環状の放電灯の中心に配置されており、前記天井面に対向する床面側に傾斜面を設けていることを特徴とする。
【０００７】
本発明においては、内部に放電灯点灯回路部を搭載したプリント基板が、その短辺を天井面に接する方向で垂直になるように環状の放電灯の中心に配置される。
よって、負荷の高電力化に伴う大型化が図られたとしても、放電灯からの熱の影響を受け難く、引掛刃の視認性を阻害することがない。
【０００８】
本発明においては、環状の放電灯からの光は、放電灯点灯回路部の床面側に設けられている傾斜面に接触しないように照射される。
よって、放電灯点灯回路部を搭載したプリント基板が、その短辺を天井面に接する方向で垂直になるように環状の放電灯の中心に配置されていても、負荷の高電力化に伴う放電灯点灯装置によるランプイメージの悪化を生ずることがない。
【０００９】
本発明の放電灯点灯装置は、前記床面側の下面が前記環状の放電灯の上端よりも下側に位置していることを特徴とする。
【００１０】
本発明においては、放電灯点灯装置の床面側の下面が環状の放電灯の上端よりも下側に位置しているために、放電灯の点灯時に放電灯からの光が放電灯点灯装置を直接照射しないので、放電灯点灯装置によるランプイメージの悪化を生ずることがない。
【００１１】
本発明の放電灯点灯装置は、外郭が白色であることを特徴とする。
【００１２】
本発明においては、環状の放電灯に通常適用されている白色、乳白色等と同系の色にすることにより、暗色系の色にした場合と比べてランプイメージの悪化を生ずることが少なくなる。
【００１３】
本発明の放電灯点灯装置は、前記環状の放電灯の照射方向に指向性を付与するための構造物を設けていることを特徴とする。
【００１４】
本発明においては、構造物を設けることで環状の放電灯からの光を反射させて照射方向に指向性を付与することにより、放電灯点灯装置に傾斜面や塗装などの加工を加えることなく、ランプイメージを改善することができるとともに、放電灯点灯装置の構造の自由度を高めることができる。
【００１５】
本発明の放電灯点灯装置は、前記構造物の底部は、前記環状の放電灯の上端よりも上側に位置することを特徴とする。
【００１６】
本発明においては、構造物の底部を環状の放電灯の上端よりも上側に位置させることにより、環状の放電灯からの光を効率良く反射させることができる。
【００１７】
本発明の放電灯点灯装置は、前記放電灯点灯回路部がケースに収容されており、前記ケースの外郭には、前記天井面に配置された配線設備に受電接続されることにより前記商用電源を受けるための一対の引掛刃を有することを特徴とする。
【００１８】
本発明においては、放電灯点灯装置を環状の放電灯の中心に配置したとしても、引掛刃を配線設備に受電接続する取付け時の施工性を阻害することがない。
【００１９】
本発明の放電灯点灯装置は、受光素子を搭載した受光回路基板を内蔵していることを特徴とする。
【００２０】
本発明においては、放電灯点灯装置の高背化を図った際に、環状の放電灯が発生する光ノイズの入射を抑えることができるため、リモコン受信性能を向上させた上で、ランプイメージの悪化を改善することができる。
【００２１】
本発明の照明器具は、本発明の放電灯点灯装置を具備することを特徴とする。
【００２２】
本発明においては、負荷の高電力化に伴う大型化が図られたとしても、放電灯からの熱の影響を受け難く、引掛刃の視認性を阻害することがないとともに、放電灯点灯回路部を搭載したプリント基板が、その短辺を天井面に接する方向で垂直になるように環状の放電灯の中心に配置されていても、負荷の高電力化に伴う放電灯点灯装置によるランプイメージの悪化を生ずることがない照明器具を得ることができる。
【発明の効果】
【００２３】
本発明の放電灯点灯装置及び照明器具によれば、内部に放電灯点灯回路部を搭載したプリント基板が、その短辺を前記天井面に接する方向で垂直になるように前記環状の放電灯の中心に配置されており、前記天井面に対向する床面側に傾斜面を設けた。
これにより、負荷の高電力化に伴う大型化に対して放電灯からの熱の影響及び引掛刃の視認性の改善を行うことができるとともに高背化に伴うランプイメージの悪化を減少させることができる放電灯点灯装置及び照明器具を得ることができるという効果を有する。
【発明を実施するための最良の形態】
【００２４】
以下、本発明の複数の実施形態に係る放電灯点灯装置及び照明器具について、図面を参照して説明する。
【００２５】
（第１実施形態）
図１、図２に示すように、本発明の第１実施形態の照明器具１００は、丸型であって不図示の天井面に並行に配置される器具本体１０１に、環状の蛍光灯（２重管環状形蛍光灯）１０２を取り付けているとともに、蛍光灯１０２の光を拡散させるための半透明のグローブ１０３を取り付けており、蛍光灯１０２の中心に、ケース１１に収容された放電灯点灯装置１０を縦向きに配置している。
器具本体１０１には、蛍光灯１０２を２重に組み付けるための複数のランプ支持部品１０４を有する。
【００２６】
図３にも示すように、放電灯点灯装置１０は第１プリント基板１２を備えており、第１プリント基板１２上に放電灯点灯回路部１３を実装している。
【００２７】
放電灯点灯回路部１３は、ラインフィルタ及びコンデンサからなりコネクタを介して商用電源に接続する電源帰還ノイズ低減用のフィルタ回路と、ダイオードブリッジからなる整流回路と、スイッチング素子，チョークコイル，ダイオード及びコンデンサで構成され商用電源からの入力電流歪率を低減するための昇圧チョッパ回路と、平滑コンデンサを並列接続した平滑回路と、一対のスイッチング素子，チョークコイル，出力用のトランス，予熱電流供給用のトランス，コンデンサで構成され平滑回路から出力される直流出力を高周波の交流出力に変換するインバータ回路と、昇圧チョッパ回路のスイッチング素子をオンオフ制御するチョッパ制御回路と、インバータ回路のスイッチング素子をオンオフするための制御信号を作成するインバータ制御回路と、インバータ制御回路からの制御信号に応じて各スイッチング素子をオンオフ駆動するドライバ回路と、チョッパ制御回路，インバータ制御回路及びドライバ回路の動作電源を供給する電源回路と、コネクタ１４，１５と、からなる複数の電子部品１６からなる。
【００２８】
第１プリント基板１２は、その短辺１７を天井面に接するように配置しており、その長片１８を天井面に対し垂直になるように配置している。
【００２９】
図４、図５（Ａ），（Ｂ）にも示すように、放電灯点灯装置１０は、放電灯点灯回路部１３をケース１１内に収容している。
【００３０】
ケース１１は、蛍光灯１０２と同系の白色に塗装されて、底板１９と４個の側板２０とから有底の正方形の筒形状に形成されている。
【００３１】
ケース１１は、底板１９の外縁部と側板２０の下端縁部との間に、４個の等脚台形状の傾斜面２１を形成している。傾斜面２１は、側板２０の下端縁部から底板１９と外縁部に向けて傾斜している。
【００３２】
次に、放電灯点灯装置１０のケース１１の第１変形例について説明する。
【００３３】
図６にも示すように、本変形例のケース１１は、底板１９と４個の側板２０とから有底の長方形の筒形状に形成されており、底板１９の外縁部と側板２０の下端縁部との間に、等脚台形状の傾斜面２２を形成している。傾斜面２２は、側板２０の下端縁部から底板１９の外縁部に向けて傾斜している。
【００３４】
次に、放電灯点灯装置１０のケース１１の第２変形例について説明する。
【００３５】
図７（Ａ），（Ｂ）にも示すように、本変形例のケース１１は、円形の底板２３と周板２４とから有底の円形の筒形状に形成されており、底板２３の外周縁部と周板２４の下端縁部との間に、環状の傾斜面２５を形成している。傾斜面２５は、周板２４の下端縁部から底板２３の外周縁部に向けて傾斜している。
【００３６】
次に、放電灯点灯装置１０のケース１１の第３変形例について説明する。
【００３７】
図８にも示すように、本変形例のケース１１は、長円形の底板２６と周板２７とから有底の長円形の筒形状に形成されており、底板２６の外周縁部と周板２７の下端縁部との間に、環状の傾斜面２８を形成している。傾斜面２８は、周板２７の下端縁部から底板２６の外周縁部に向けて傾斜している。
【００３８】
次に、放電灯点灯装置１０のケース１１の第４変形例について説明する。
【００３９】
図９（Ａ），（Ｂ）にも示すように、本変形例のケース１１は、底板２９と側板３０とから有底の正方形の筒形状に形成されており、底板２９と外縁部と側板３０の下端縁の中央部との間に、４個の傾斜面３１を形成している。傾斜面３１は、側板３０の下端縁の中央部から底板２９の外縁部に向けて傾斜している。
【００４０】
次に、放電灯点灯装置１０のケース１１の第５変形例について説明する。
【００４１】
図１０にも示すように、本変形例のケース１１は、底板３２と側板３３とから有底の長方形の筒形状に形成されており、底板３２の外縁部と側板３３の下端縁の中央部との間に、４個の傾斜面３４を形成している。傾斜面３４は、側板３３の下端縁の中央部から底板３２の外縁部に向けて傾斜している。
【００４２】
次に、放電灯点灯装置１０のケース１１の第６変形例について説明する。
【００４３】
図１１（Ａ），（Ｂ）にも示すように、本変形例のケース１１は、円錐形の底板３５と周板３６とから有底の円形の筒形状に形成されており、底板３５が傾斜面３７になっている。傾斜面３７は、周板３６の下端縁から底板３５の頂部に向けて傾斜している。
【００４４】
次に、放電灯点灯装置１０のケース１１の第７変形例について説明する。
【００４５】
図１２にも示すように、本変形例のケース１１は、長円錐形の底板３８と長円形の周板３９とから有底の筒形状に形成されており、底板３８が傾斜面４０になっている。傾斜面４０は、周板３９の下端縁から底板３８の頂部に向けて傾斜している。
【００４６】
次に、放電灯点灯装置１０のケース１１の第８変形例について説明する。
【００４７】
図１３（Ａ），（Ｂ）にも示すように、本変形例のケース１１は、円錐形の第１底板４１と円錐台形の第２底板４２と周板４３とから有底の円形の筒形状に形成されており、第１底板４１および第２底板４２が傾斜面４４になっている。傾斜面４４は、周板４３の下端縁から第２底板４２と第１底板４１とにより２段に傾斜している。
【００４８】
次に、放電灯点灯装置１０のケース１１の第９変形例について説明する。
【００４９】
図１４にも示すように、本変形例のケース１１は、長円錐形の第１底板４５と長円錐台形の第２底板４６と周板４７とから有底の円形の筒形状に形成されており、第１底板４５および第２底板４６が傾斜面４８になっている。傾斜面４８は、周板４７の下端縁から第２底板４６と第１底板４５とにより２段に傾斜している。
【００５０】
前述した第１実施形態の放電灯点灯装置１０によれば、内部に放電灯点灯回路部１３を搭載した第１プリント基板１２が、その短辺１７を天井面に接する方向で垂直になるように蛍光灯１０２の中心に配置される。
これにより、負荷の高電力化に伴う大型化が図られたとしても、蛍光灯１０２からの熱の影響を受け難くなる。
【００５１】
また、第１実施形態の放電灯点灯装置１０によれば、蛍光灯１０２からの光は、放電灯点灯回路部１３の床面側に設けられている傾斜面２１，２２，２５，２８，３１，３４，３７，４０，４４，４８に接触しないように照射される。
これにより、放電灯点灯回路部１３を搭載した第１プリント基板１２が、その短辺１７を天井面に接する方向で垂直になるように蛍光灯１０２の中心に配置されていても、負荷の高電力化に伴う放電灯点灯装置１０によるランプイメージの悪化を生ずることがない。
【００５２】
そして、第１実施形態の放電灯点灯装置１０によれば、ケース１１が、蛍光灯１０２に通常適用されている白色、乳白色等と同系の色に塗装されることにより、暗色系の色にした場合と比べてランプイメージの悪化を生ずることが少なくなる。
【００５３】
第１実施形態の照明器具１００によれば、負荷の高電力化に伴う大型化が図られたとしても、蛍光灯１０２からの熱の影響を受け難いとともに、放電灯点灯回路部１３を搭載した第１プリント基板１２が、その短辺１７を天井面に接する方向で垂直になるように蛍光灯１０２の中心に配置されていても、負荷の高電力化に伴う放電灯点灯装置１０によるランプイメージの悪化を生ずることがない照明器具１００を得ることができる。
【００５４】
（第２実施形態）
次に、本発明の第２実施形態の放電灯点灯装置及び照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００５５】
図１５に示すように、本発明の第２実施形態の照明器具２００は、負荷の高電力化に伴って放電灯点灯装置５０のケース１１の底板１９が、蛍光灯１０２の上端よりも下側に位置しており、底板１９と側板２０との間に傾斜面２１を形成している。
【００５６】
このような照明器具２００は、蛍光灯１０２が点灯されることにより、蛍光灯１０２からの光αは、放電灯点灯装置５０のケース１１における傾斜面２１に接触しないように照射方向に進行される。
【００５７】
第２実施形態の放電灯点灯装置５０及び照明器具２００は、第１実施形態と同様の作用効果を有する。特に本実施形態によれば、放電灯点灯装置５０のケース１１の底板１９が蛍光灯１０２の上端よりも下側に位置しているために、蛍光灯１０２の点灯時に蛍光灯１０２からの光αが放電灯点灯装置５０を直接照射しないので、放電灯点灯装置５０によるランプイメージの悪化を生ずることがない。
【００５８】
（第３実施形態）
次に、本発明の第３実施形態の放電灯点灯装置及び照明器具について説明する。
【００５９】
図１５に示すように、本発明の第３実施形態の照明器具３００は、放電灯点灯装置６０の外側（外周）に構造物６１を組み付けている。
【００６０】
構造物６１は、中空の円錐台形や台形の傘形状に形成されており、中空部に放電灯点灯装置６０を内装している。
【００６１】
構造物６１は、その底部６２が蛍光灯１０２の上端よりも上側に位置する。
【００６２】
このような照明器具３００は、蛍光灯１０２が点灯されることにより、蛍光灯１０２からの光αは、構造物６１により照射方向に反射する。
【００６３】
第３実施形態の放電灯点灯装置６０及び照明器具３００は、第１実施形態と同様の作用効果を有する。特に本実施形態によれば、構造物６１を放電灯点灯装置６０の外側に組み付けることで蛍光灯１０２からの光αを反射させて照射方向に指向性を付与することにより、放電灯点灯装置６０に傾斜面や塗装などの加工を加えることなく、ランプイメージを改善することができるとともに、放電灯点灯装置６０の構造の自由度を高めることができる。
【００６４】
（第４実施形態）
次に、本発明の第４実施形態の放電灯点灯装置及び照明器具について説明する。
【００６５】
図１７に示すように、本発明の第４実施形態の照明器具４００は、放電灯点灯装置７０に構造物６１を組み付けており、受光素子７１を搭載している。
【００６６】
図１８に示すように、放電灯点灯装置７０は、長方形の第１プリント基板１２に加えて、同じく長方形の第２プリント基板７２と、を備えている。
【００６７】
第２プリント基板７２は、第１プリント基板１２の下方の短辺７３側に、第１プリント基板１２に直交するように床面に対向して配置されている。
【００６８】
第２プリント基板７２には、その床面側に、受光素子７１と、常夜灯用のＬＥＤ７４と、赤外線リモコン信号のチャンネル切替えを行うための操作スイッチ７５と、を実装している。
【００６９】
図１９、図２０にも示すように、放電灯点灯装置７０は、ケース１１の外郭の上面７６に一対の引掛刃７７をそれぞれ突出形成している。
【００７０】
一対の引掛刃７７は、天井面に配置されている引掛シーリングに受電接続されることにより、放電灯点灯装置７０の放電灯点灯回路部１３に商用電源を電気的に接続する。
【００７１】
第４実施形態の放電灯点灯装置７０及び照明器具４００は、第１実施形態と同様の作用効果を有する。特に本実施形態によれば、放電灯点灯装置７０を蛍光灯１０２の中心に配置したとしても、引掛刃７７を配線設備に受電接続する取付け時の施工性を阻害することがない。
【００７２】
また、第４実施形態の放電灯点灯装置７０及び照明器具４００によれば、放電灯点灯装置７０の高背化を図った際に、蛍光灯１０２が発生する光ノイズの入射を抑えることができるため、受光素子７１によるリモコン受信性能を向上させた上で、ランプイメージの悪化を改善することができる。
【００７３】
なお、前記各実施形態で使用した器具本体１０１、蛍光灯１０２、グローブ１０３、ランプ支持部品１０４等は例示したものに限定するものではなく適宜変更が可能である。
【図面の簡単な説明】
【００７４】
【図１】本発明に係る第１実施形態の照明器具の分解斜視図
【図２】図１の照明器具の縦断面図
【図３】図１の照明器具の放電灯点灯装置に適用される第１プリント基板の外観斜視図
【図４】図１の放電灯点灯装置の外観図
【図５】（Ａ）は図１の放電灯点灯装置に適用されるケースの側面図、（Ｂ）は（Ａ）の底面図
【図６】図１の放電灯点灯装置に適用されるケースの第１変形例の底面図
【図７】（Ａ）は図１の放電灯点灯装置に適用されるケースの第２変形例の側面図、（Ｂ）は（Ａ）の底面図
【図８】図１の放電灯点灯装置に適用されるケースの第３変形例の底面図
【図９】（Ａ）は図１の放電灯点灯装置に適用されるケースの第４変形例の側面図、（Ｂ）は（Ａ）の底面図
【図１０】図１の放電灯点灯装置に適用されるケースの第５変形例の底面図
【図１１】（Ａ）は図１の放電灯点灯装置に適用されるケースの第６変形例の側面図、（Ｂ）は（Ａ）の底面図
【図１２】図１の放電灯点灯装置に適用されるケースの第７変形例の底面図
【図１３】（Ａ）は図１の放電灯点灯装置に適用されるケースの第８変形例の側面図、（Ｂ）は（Ａ）の底面図
【図１４】図１の放電灯点灯装置に適用されるケースの第９変形例の底面図
【図１５】本発明に係る第２実施形態の照明器具の縦断面図
【図１６】本発明に係る第３実施形態の照明器具の縦断面図
【図１７】本発明に係る第４実施形態の照明器具の縦断面図
【図１８】図１７の放電灯点灯装置に適用される第１プリント基板および第２プリント基板の外観斜視図
【図１９】図１７の放電灯点灯装置の斜め下方から視た外観図
【図２０】図１７の放電灯点灯装置の斜め上方から視た外観図
【符号の説明】
【００７５】
１０  放電灯点灯装置
１１  ケース
１２  第１プリント基板（プリント基板）
１３、５０、６０、７０  放電灯点灯回路部
１６  電子部品
２１、２２、２５、２８、３１、３４、３７、４０、４４、４８  傾斜面
６１  構造物
７１  受光素子
７２  第２プリント基板（受光回路基板）
７７  引掛刃
１００、２００、３００、４００  照明器具
１０２  蛍光灯（放電灯）
【図１】
2010027571.tif 000003
【図２】
2010027571.tif 000004
【図３】
2010027571.tif 000005
【図４】
2010027571.tif 000006
【図５】
2010027571.tif 000007
【図６】
2010027571.tif 000008
【図７】
2010027571.tif 000009
【図８】
2010027571.tif 000010
【図９】
2010027571.tif 000011
【図１０】
2010027571.tif 000012
【図１１】
2010027571.tif 000013
【図１２】
2010027571.tif 000014
【図１３】
2010027571.tif 000015
【図１４】
2010027571.tif 000016
【図１５】
2010027571.tif 000017
【図１６】
2010027571.tif 000018
【図１７】
2010027571.tif 000019
【図１８】
2010027571.tif 000020
【図１９】
2010027571.tif 000021
【図２０】
2010027571.tif 000022